(57)【要約】【課題】既存のポータル技術においては、役職ごとに表示するコンテンツを変更することによって、作業者が的確な情報を得て、的確な作業ができるようにしているが、実際においてはプロジェクトの工程ごとに見るべき情報がことなるため、作業者ごとにその作業者が属するプロジェクトの工程状況に応じて必要なコンテンツを表示する必要がある。【解決手段】作業者が日々、プロジェクトにおいてどの固定の作業を実施したかを入力し蓄えることにより、そのプロジェクトの工程を判断し、一方で各工程ごとに参照すべき情報のありかを蓄積しておくことにより、プロジェクトの工程状況において必要なコンテンツを表示する。【選択図】  図１
2004341857.tif 000002
【特許請求の範囲】
【請求項１】
作業者端末に対して、プロジェクト毎の作業情報を表示する装置において、各作業担当者が作業記録サーバに対して日々入力し作業記録サーバに記録されるプロジェクト毎の作業情報と、各作業工程ごとに表示すべき情報と、表示すべき情報の取得方法の情報から、作業者が要求した時点で作業者の必要とする情報を選択して表示するコンテンツ提供方法。
【請求項２】
作業者端末に対して、プロジェクト毎の作業情報を表示する装置において、各作業担当者が作業記録サーバに対して日々入力し作業記録サーバに記録されるプロジェクト毎の作業情報と、サーバに格納された各作業工程ごとに表示すべき情報と、サーバに格納された表示すべき情報の取得方法の情報から、作業者が要求した時点で作業者の必要とする情報を選択して表示するコンテンツ提供装置。
【発明の詳細な説明】
【０００１】
【発明の属する技術分野】
本発明は、ネットワークを介したコンテンツ提供方法およびその装置に関する。
【０００２】
【従来の技術】
作業者ごとに作業者の必要とする情報を提供する装置としては、提供されるコンテンツから作業者が自分自身で表示するコンテンツを選択し、次回からその選択した情報を表示するポータル装置が存在する。また、特開２００２−２６９０４４号公報に開示されているように作業者の所属組織ごとに表示するコンテンツを選択するポータル装置が知られている。
【０００３】
【特許文献１】
特開２００２−２６９０４４号公報
【０００４】
【発明が解決しようとする課題】
作業者は、日々変化するプロジェクトの状況によって、その時点で実行しなければならない作業が変わってくる。実行する作業によって、その作業を追行するために参照するべき情報は変化する。このような状況においては、特開２００２−２６９０４４に開示される作業者の役職ごとにコンテンツを変更する方法では、その役職が実行する可能性のある作業に関するコンテンツを全て表示しようとすると、コンテンツの数が多くなり、作業を追行するにあたって必要なコンテンツを見つけるのが困難になる。また、代表的なコンテンツのみを表示している状態では、必要なコンテンツが表示されておらず、ポータル装置としての役目を果たせなくなる。本発明では、前記問題点を解決するためになされたもので、プロジェクトの進捗状況に応じて、その時点で必要となるコンテンツを選択して表示することにより、作業者が適切なコンテンツを容易に選択でき、その結果として円滑に作業を進めることを実現することを目的とする。
【０００５】
【課題を解決するための手段】
上記目的は、各作業者の作業状況を収集するための作業記録装置と、作業工程ごとに選択する工程情報記録装置と、コンテンツの格納場所を記録するコンテンツ記録装置と、これら３つの装置から得られる情報から作業者に必要なコンテンツを選択して、作業者に表示するポータル生成装置を備えることで達成される。
【０００６】
【発明の実施の形態】
以下、図面を参照して本発明の実施形態について説明する。
【０００７】
図１は、本発明のシステム構成である。本発明では、作業者が作業者端末１０１からネットワーク１０２を通じて、ポータル生成装置１０３と作業記録装置１０５を利用する。作業者は、日々の作業状況を作業記録装置１０５に登録する。作業者は必要なときにポータル生成装置１０３にアクセスし、その時点で最適なコンテンツを含むポータル画面を得る。ポータル生成装置１０３および作業記録装置１０５は作業者を特定するために、作業者認証装置１０４を使用する。ポータル生成装置１０３は、ネットワーク１０２を介して作業者端末１０１から入力された作業者識別子とパスワードを作業者認証装置１０４に送信し作業者の認証を行い、その作業者の実行しているプロジェクトで現在行われている工程を作業記録装置１０５から取得し、得られた工程を用いて工程情報記憶部２０３に格納された工程とコンテンツの対応情報と作業記録装置１０５から情報を取得し、ナビゲーション生成手段２０２が作業者に必要なコンテンツを選択し、ポータル生成手段２０１がコンテンツを表示する。作業入力部４０１はネットワーク１０２を介して作業者端末１０１から受け取った作業者識別子とパスワードを用い作業者認証装置１０４に送信し作業者の認証を行い、作業者端末１０１から受け取った作業者の日々の作業の情報を作業情報格納部４０２に記憶する。
【０００８】
図２はコンテンツ記憶部２０４で記憶する情報の実施例である。実施例では、表形式で情報を記憶し、コンテンツを一意に特定するためのコンテンツ識別子５０１と、コンテンツの名称をあらわすコンテンツ名５０２と、コンテンツを表示するために必要なコンテンツ格納位置５０３の３つの列からなる。
【０００９】
図３は、工程情報記憶部２０３で記憶する情報の実施例である。実施例では、表形式で情報を記憶し、工程を一意に特定するための工程識別子６０１と、工程識別子６０１があらわす工程を実行する上で作業者が必要となるコンテンツを一意に識別するコンテンツ識別子６０２からなる。
【００１０】
図４は、作業者情報記憶部３０２で記憶する情報の実施例である。実施例では、表形式で情報を記憶し、作業者を一意に特定するためのユーザ識別子７０１と、作業者を認証するためのパスワード７０２の２つの列からなる。
【００１１】
図５は、作業情報記憶部４０２で記憶する情報の実施例である。実施例では、表形式で情報を記憶し、作業者を一意に特定するユーザ識別子８０１、作業を実行した日をあらわす作業日８０２、プロジェクトを一意に特定するプロジェクト識別子８０３、工程を一意に特定する工程識別子８０４からなる。同じ作業者が同じ日に異なるプロジェクトの作業を実行した場合もしくは同じプロジェクトで異なる工程の作業を実行した場合には、作業者識別子と作業日が同じでプロジェクト識別子もしくは工程識別子がことなる行がそれぞれ挿入される。
【００１２】
図６は、実施例における作業記録装置１０５が表示する作業実績入力画面９０１である。作業実績入力画面９０１は、１週間分の作業状況を１画面で入力できる。そのため、前の週の作業状況を入力する画面を表示する戻るボタン９０２と、次の週の作業状況を入力する画面を表示する次へボタン９０３をもつ。作業者は、作業識別子入力欄９０４に作業を実行したプロジェクトのプロジェクト識別子を入力し、該当する日付の工程選択欄９０５から工程を選択する。作業者は、入力が完了したらＯＫボタン９０６を押し、入力したデータを確定し、データを作業情報格納部４０２に格納し作業実績入力画面９０１を閉じる。また、キャンセルボタン９０７を押すことにより、入力したデータは破棄され、作業情報格納部４０２の情報を更新せずに作業実績入力画面９０１を閉じる。
【００１３】
図７は、ナビゲーション生成手段２０２の処理フローを示す。まず、現在作業取得処理１００１を実施し、その結果が処理すべきデータがない場合には終了する１００２。処理すべきデータがある場合には、そのデータがプロジェクトの一覧に存在するかどうかを確認し１００３、存在しない場合にはプロジェクト一覧に追加し１００４、プロジェクト情報取得処理を行う１００５。その次に、処理対象を次のデータに移動し１００６、処理１００２に戻る。
【００１４】
図８は、現在作業取得処理１００１の処理フローを示す。現在作業取得処理は、処理対象となる作業者の作業者識別子および処理対象となる日付を上位の処理から渡される。取得した情報を返却するための表を初期化する１１０１。次に、処理対象日付を上位から渡された処理対象となる日付の前日に設定する１１０２。処理対象日付が上位から渡された処理対象よりも７日以上前の場合には、処理１１０１で初期化した表を呼び出し元に返却する１１０３。処理対象となる作業者の作業者識別子と、処理対象日付が一致する情報を作業情報格納部から取得する１１０５。一致する行がない場合には、処理対象日付を現在の処理対象日付の前日に設定し１１０７、処理１１０３に戻る。一致するデータがあった場合には、処理１１０１で初期化した表に、一致したデータを書き込み呼び出しもとに戻る１１０７。
【００１５】
図９は、処理１００５のフローを示す。この処理は、引数として処理対象のプロジェクト識別子を得る。まず、処理した結果を格納する領域を初期化する１２０１。次に、処理対象日付を前日とする１２０２。処理対象日付が７日以上前の場合には終了する１２０３。次に、プロジェクト識別子と処理対象日付が一致するデータを作業情報格納部４０２から検索する。該当するデータが存在しない場合には、処理１２０３に戻る。次にプロジェクト選択処理を実行し１２０７、終了する。
【００１６】
図１０は、処理１２０７のフローを示す。この処理は、引数として処理１２０５で取得した結果を得る。まず、処理結果を格納する領域を初期化し、処理対象のデータを引数で得た情報の先頭とする１３０１。次に、処理すべきデータが存在しない場合には、処理を終了する１３０２。処理対象とするデータが工程一覧に存在する場合には１３０３、処理対象を次のデータにして１３１０、処理１３０２に戻る。工程一覧に存在しない場合には１３０３、まず工程一覧に工程識別子を追加し１３０４、工程情報記憶部２０３から工程識別子が一致する行を取得する１３０５。一致する行がない場合には、処理１３１０へ戻る１３０６。コンテンツ位置が既に登録されていない場合には１３０７、コンテンツ格納位置をコンテンツ一覧に追加する１３０８。次に、処理対象を次の行にして１３０９、処理１３０６に戻る。処理１３１０では、処理対象を次の行にし、処理１３０２に戻る。
【００１７】
図１１は、本発明を利用しない場合のポータルで表示されるコンテンツ１４０１と、本発明を利用した場合のポータルで表示されるコンテンツ１４０２を示す。この例では、ユーザｆｕｊｉｎａｍｉが２００３／０１／１１にポータルにアクセスした場合の例を示す。図５において、２００３／０１／１１の前日である２００３／０１／１０にはｆｕｊｉｎａｍｉはｐｒｏｊｅｃｔ２のＴＥＳＴ工程しか実施していない。また、ｐｒｏｊｅｃｔ２はｆｕｊｉｎａｍｉしか実施していないため、本発明ではｐｒｏｊｅｃｔ２についてＴＥＳＴ工程に関係するコンテンツのみ表示する。本発明を利用していないポータルでの表示１４０１では、ｐｒｏｊｅｃｔ１の情報１４０３と、ｐｒｏｊｅｃｔ２の情報１４０４を含む。一方、本発明では前日に作業したｐｒｏｊｅｃｔ２の情報１４０５のみ表示する。また、ｐｒｏｊｅｃｔ２の情報１４０４は、ＣＯＳＴのコンテンツ１４０６、ＭＥＭＢＥＲのコンテンツ１４０７、ＤＯＣＵＭＥＮＴのコンテンツ１４０８、ＣＨＥＣＫＬＩＳＴのコンテンツ１４０９、ＢＵＧＳのコンテンツ１４１０を含むが、ｐｒｏｊｅｃｔ２の情報１４０４は、ＣＯＳＴのコンテンツ１４１１、ＭＥＭＢＥＲのコンテンツ１４１２、ＣＨＥＣＫＬＩＳＴのコンテンツ１４１３、ＢＵＧＳのコンテンツ１４１４しかふくまない。
【００１８】
以上の処理で得られるコンテンツを表示することにより、作業者が作業中の工程に必要なコンテンツを表示でき、作業者が必要な適切な情報を得ることができる。
【００１９】
【発明の効果】
以上詳説したように本発明によれば、プロジェクトの日々の作業を入力しそれを管理することと、各作業工程ごとに表示すべき内容を管理することにより、日々作業者が作業をすべき上で、参照したい情報を的確に表示することができる。
【図面の簡単な説明】
【図１】全体構成のブロック図。
【図２】実施例においてコンテンツの情報を格納するテーブル。
【図３】実施例において工程によってポータルに表示するコンテンツを登録するテーブル。
【図４】実施例においてユーザ認証情報を格納するテーブル。
【図５】実施例において作業情報を格納するテーブルの実施例。
【図６】実施例における作業実績入力画面。
【図７】実施例におけるコンテンツ選択処理のフロー。
【図８】実施例における現在の作業を取得する処理のフロー。
【図９】実施例におけるプロジェクトの情報を主と臆する処理のフロー。
【図１０】実施例におけるプロジェクトのコンテンツを取得する処理のフロー。
【図１１】本装置で表示されるコンテンツの例。
【符号の説明】
１０１…作業者端末、１０２…ネットワーク、１０３…ポータル装置、１０４…ユーザ認証装置、１０５…作業記録装置、２０１…ポータル生成手段、２０２…ナビゲーション生成手段、２０３…工程情報記憶部、４０１…作業入力部、４０２…作業情報格納部、５０１…コンテンツ識別子、５０２…コンテンツ名、５０３…コンテンツ格納位置、６０１…工程識別子、６０２…コンテンツ識別子、７０１…ユーザ識別子、７０２…パスワード、８０１…ユーザ識別子、８０２…作業日、８０３…プロジェクト識別子、８０４…工程識別子、９０１…作業実績入力画面、９０２…戻るボタン、９０３…次へボタン、９０４…作業識別子入力欄、９０５…工程選択欄、９０６…ＯＫボタン、９０７…キャンセルボタン、１４０１…本発明を用いない場合のポータルの表示例、１４０２…本発明を用いた場合のポータルの表示例、１４０３…ｐｒｏｊｅｃｔ１に関するコンテンツの例、１４０４…ｐｒｏｊｅｃｔ２に関するコンテンツの例、１４０５…ｐｒｏｊｅｃｔ１に関するコンテンツの例、１４０６…ＣＯＳＴコンテンツ、１４０７…ＭＥＭＢＥＲコンテンツ、１４０８…ＤＯＣＵＭＥＮＴコンテンツ、１４０９…ＣＨＥＣＫＬＩＳＴコンテンツ、１４１０…ＢＵＧＳコンテンツ、１４１１…ＣＯＳＴコンテンツ、１４１２…ＭＥＭＢＥＲコンテンツ、１４１３…ＣＨＥＣＫＬＩＳＴコンテンツ、１４１４…ＢＵＧＳコンテンツ。
【図１】
2004341857.tif 000003
【図２】
2004341857.tif 000004
【図３】
2004341857.tif 000005
【図４】
2004341857.tif 000006
【図５】
2004341857.tif 000007
【図６】
2004341857.tif 000008
【図７】
2004341857.tif 000009
【図８】
2004341857.tif 000010
【図９】
2004341857.tif 000011
【図１０】
2004341857.tif 000012
【図１１】
2004341857.tif 000013